(57)【要約】      （修正有）【課題】使い捨て紙おむつに設けられるファスニングテープや廃棄用テープのテープ類によってバックシートの外面に施されたデザインを阻害せず、着用者である幼児に対して楽しみながら知育ができる使い捨て紙おむつを提供する。【解決手段】透液性トップシートと、不透液性バックシートとの間に吸収体が介在され、前記バックシートの前身頃腹部位置外面には左右一対の止着位置表示用ラインを有するフロントシートと、前記バックシートの後身頃背中側両側部におむつ装着用のファスニングテープとを備え、前記ファスニングテープの他端を前記左右一対の止着位置表示用ラインを有するフロントシートのライン上に止着して使用するように構成された使い捨て紙おむつにおいて、前記バックシート、前記フロントシート、及び、前記ファスニングテープの三者の全ての外面に互いに相関するデザインを施す。【選択図】図５
2004305761.tif 000002
【特許請求の範囲】
【請求項１】
表面側を覆う透液性トップシートと、裏面側を覆う不透液性バックシートとの間に吸収体が介在され、前記シート材を長手方向中央部より折り畳んで前身頃と後身頃とが形成され、かつ、前記バックシートの前身頃腹部位置外面には左右一対の止着位置表示用ラインを有するフロントシートと、前記バックシートの後身頃背中側両側部に一端が止着され夫々左右方向に延設されたおむつ装着用のファスニングテープとを備え、前記ファスニングテープの他端を前記左右一対の止着位置表示用ラインを有するフロントシートのライン上に止着して使用するように構成された使い捨て紙おむつにおいて、前記バックシート、前記フロントシート、及び、前記ファスニングテープの三者の全ての外面に互いに相関するデザインが施され、かつ、前記フロントシートに施されるデザインは前記フロントシートのファスニングテープ止着位置表示用ラインに沿って施されていることを特徴とする使い捨て紙おむつ。
【請求項２】
前記フロントシートに施されるデザインは前記ファスニングテープ止着位置表示用ラインに沿って上下方向に複数個施されており、該複数個のデザインのいずれか一つに前記ファスニングテープに施されたデザインが合わせられて前記ファスニングテープが前記フロントシートに止着されることを特徴とする請求項１に記載の使い捨て紙おむつ。
【請求項３】
前記相関するデザインは同一の基調であることを特徴とする請求項１又は２に記載の使い捨て紙おむつ。
【請求項４】
前記相関するデザインは関連する絵柄であることを特徴とする請求項１又は２に記載の使い捨て紙おむつ。
【請求項５】
前記相関するデザインは順列のある連続した文字であることを特徴とする請求項１又は２に記載の使い捨て紙おむつ。
【発明の詳細な説明】
【技術分野】
【０００１】
本発明はバックシートの外面にデザインが施された使い捨ての紙おむつに関し、とくに幼児用として好適な使い捨ての紙おむつに関する。
【背景技術】
【０００２】
従来、このような使い捨ての紙おむつの基本構成は、表面側、すなわち肌と当接する面側を覆う透液性トップシートと、裏面側を覆う不透液性バックシートと、これらのシートの間に介在される吸収体とを長手方向中央部より折り畳んで前身頃と後身頃を形成して成っており、その型式としてテープ式とパンツ式の二つが一般によく知られている。ここに、テープ式の紙おむつは、一端が前記バックシートの後見頃背中側両側部に止着され、夫々左右方向に延設されたおむつ装着用のファスニングテープの他端を前記バックシートの前見頃腹部位置外面に付設されたフロントシートに止着して着用するようにしたものであり、一方のパンツ式の紙おむつは、前記折り畳まれた前身頃と後身頃の両側縁を互いに接着閉鎖してパンツタイプにしたものである。
【０００３】
なお、これらの使い捨て紙おむつには、使用後の廃棄処理に備えた廃棄用テープが、後身頃（必要により前身頃）の中央部ないしその上方で一端が止着され、全体が長さ方向に折り畳まれて他端より引き出し可能に装着されている。この廃棄用テープは、使用済みの紙おむつを廃棄処理するに際し、この紙おむつを例えば股間部側からぐるぐる巻き上げて止着するように用いられるもので、後処理テープとも呼ばれている。
【０００４】
ところで、上述した従来の使い捨て紙おむつの中には、着用に際しての前後の区別、あるいはサイズ等を表示する目的で、着用時に外部から認識可能な種々の模様や文字等からなるデザインをバックシートにより構成される前身頃や後身頃に印刷したものがある。とくに幼児向けの使い捨て紙おむつでは、知育等を目的として、例えば動物や乗り物、あるいはキャラクター等の幼児が好み、あるいは関心を示す絵柄模様から成るデザインを施したものが知られている。
【０００５】
とくに近来、このようなデザインがバックシートのみならず、前身頃の腹部前部外面に付設されたフロントシートに施された使い捨て紙おむつが市場に提供されている。
【０００６】
図９から図１１はその一例であるテープ式の使い捨て紙おむつを示すもので、本出願人の先の出願に係るものである。すなわち、図９はこのテープ式の使い捨て紙おむつ（以下「紙おむつ１」という）の概要を示す斜視図、図１０はこの紙おむつ１を展開した状態で示す平面図、図１１はこの紙おむつ１の前見頃腹部位置外面に付設されたフロントシートの正面図である。
【０００７】
図９及び図１０に示すように、この紙おむつ１は、表面側を覆う不織布等から成る透液性トップシート２と、裏面側を覆うポリエチレンシート等から成る不透液性バックシート３と、前記各シート間に介在された綿状パルプ等から成る吸収体４を有し、この吸収体４に隣接する脚周り部分と展開した状態の前後端側とに夫々ゴム紐等から成る弾性伸縮部材５が設けられ、そして図９に斜視図で示すように、バックシート３の前見頃腹部位置外面にはフロントシート６が左右方向に延びて付設されている。
【０００８】
他方、図１０に示すように、背中側の両側部にはファスニングテープ７が、その一端を粘着剤等によりバックシート３の表面側側縁に止着され、左右外側へ延びるようにして設けられている。このファスニングテープ７の内面には係止用のフックシート８が設けられ、このフックシート８のフックがフロントシート６の外面のフック受と係脱することにより紙おむつ１が身体の腰部に着脱可能となっている。
【０００９】
図１１に示すように、フロントシート６の外面にはフックシート８の端部を係止する位置を示す左右一対の係止目印模様９が施されている。この係止目印模様９は左右方向に複数並設されており、この例では係止目印模様９が数字部９ａ及び破線部９ｂ等から成っている。
【００１０】
ここに、各数字部９ａはフロントシート６の中央側から順に付与された数が模様として施され、この例では各数字部９ａが略等間隔に配置された「１」、「２」、「３」のアラビア数字の模様部９ａ１と、アラビア数字を囲む円状の外縁部９ａ２から成っている。破線部９ｂは、アラビア数字の模様部９ａ１の上部において円状の模様を上方に並設したものである。各目印模様９の間、すなわち各模様部９ａ１の間には幼児が好み、あるいは関心を示すような動物やおもちゃ、あるいはキャラクター等の絵柄１０から成るデザインが知育等の目的で施されている。
【発明の開示】
【発明が解決しようとする課題】
【００１１】
しかしながら、以上のとおり構成されたこの紙おむつ１を幼児等に装着させ、ファスニングテープ７のフックシート８をフロントシート６の外面に係止して腰部に固定させると、図１２に示すように、ファスニングテープ７の外面が無地（通常は白地）であるため、この外面によってフロントシート６の外面に施された上記デザイン（この例ではキャラクターの顔）が隠されてしまい、折角施したデザインの本来の目的が損なわれてしまうという欠点があった。また、このような異色のファスニングテープ７によりデザイン化されたフロントシート６が部分的に被覆されると、見る人にとって違和感があった。さらにまた、紙おむつ１の装着に際し、母親等の装着者がファスニングテープ７の端部、すなわちフックシート８をフロントシート６に係止する場合には、係止目印模様９を殆ど意識せず、装着者自身の経験や勘に頼ってフロントシート６の幅方向及び上下方向の適当な位置に止着することが多いため、ファスニングテープ７がフロントシート６からずれ易く、場合によっては外れてしまうという欠点があった。
【００１２】
なお、このようにテープ部材によりデザインが損なわれる欠点は、上記テープ式の使い捨て紙おむつにおけるファスニングテープに限らず、廃棄用テープについても同様である。図１３はその一例であるパンツ式の使い捨て紙おむつ（以下「紙おむつ２１」という）を後見頃側から見た斜視図で、図示するように、この紙おむつ２１では、裏面側を覆う不透液性バックシート２２によって形成された前見頃２３及び後見頃２４の外面に（この例では「兎」「小鳥」「象」等の種々の動物２５ａが円模様２５ｂの内部に描かれて構成された）デザイン２５が施され、後見頃２４の略中央部には廃棄用テープ２６がその一端をバックシート２２の外面に止着され、全体が長さ方向に折り畳まれて接着され、他端より引き出し可能に装着されている。
【００１３】
しかしながら、このように廃棄用テープ２６がバックシート２２の後見頃２４外面に施されたデザインの絵柄部分（この例では「ペンギン鳥」の顔部分）に位置して止着されているために、この紙おむつ２１では前記同様にデザイン本来の目的が達成されないという欠点があった。また、たとえデザイン化された絵柄の上に止着されていないとしても、この廃棄用テープ２６の最外面２６ａは、前記バックシート２２の外面に施されたデザインとは全く関連性のない無地であったり着色されたものであることから、やはり違和感があり、このため、（この廃棄用テープ２６が前見頃２３に設けられている場合にはなおさら）着用した幼児が無意識のうちにこの廃棄用テープ２６の先端部を引っ張ってしまう懸念があった。
【００１４】
本発明は上述したような事情によりなされたものであり、その目的とするところは、使い捨て紙おむつに設けられるファスニングテープや廃棄用テープのテープ類によって、とくに正面から目立つファスニングテープによってバックシートの外面に施されたデザインを阻害することがなく、全体として見た目にも違和感がなく、かつ着用者である幼児に対して楽しみながら知育ができる使い捨て紙おむつを提供することにある。
【課題を解決するための手段】
【００１５】
本発明の上記目的は、表面側を覆う透液性トップシートと、裏面側を覆う不透液性バックシートとの間に吸収体が介在され、前記シート材を長手方向中央部より折り畳んで前身頃と後身頃とが形成され、かつ、前記バックシートの前身頃腹部位置外面には左右一対の止着位置表示用ラインを有するフロントシートと、前記バックシートの後身頃背中側両側部に一端が止着され夫々左右方向に延設されたおむつ装着用のファスニングテープとを備え、前記ファスニングテープの他端を前記左右一対の止着位置表示用ラインを有するフロントシートのライン上に止着して使用するように構成された使い捨て紙おむつにおいて、前記バックシート、前記フロントシート、及び、前記ファスニングテープの三者の全ての外面に互いに相関するデザインが施され、かつ、前記フロントシートに施されるデザインは前記フロントシートのファスニングテープ止着位置表示用ラインに沿って施されていることを特徴とする、請求項１に係る使い捨て紙おむつによって達成される。
【００１６】
また、本発明の上記目的は、前記フロントシートに施されるデザインは前記ファスニングテープ止着位置表示用ラインに沿って上下方向に複数個施されており、該複数個のデザインのいずれか一つに前記ファスニングテープに施されたデザインが合わせられて前記ファスニングテープが前記フロントシートに止着されることを特徴とする、請求項２に記載の使い捨て紙おむつによってより効果的に達成される。
【００１７】
また、本発明の上記目的は、前記相関するデザインは同一の基調であることを特徴とする、請求項３に係る使い捨て紙おむつ使い捨て紙おむつによってより効果的に達成される。
【００１８】
また、本発明の上記目的は、前記相関するデザインは関連する絵柄であることを特徴とする、請求項４に係る使い捨て紙おむつによってより効果的に達成される。
【００１９】
さらにまた、本発明の上記目的は、前記相関するデザインは順列のある連続した文字であることを特徴とする、請求項５に係る使い捨て紙おむつによってより効果的に達成される。
【発明の効果】
【００２０】
本発明は、上述したように、表面側を覆う透液性トップシートと、裏面側を覆う不透液性バックシートとの間に吸収体が介在され、前記シート材を長手方向中央部より折り畳んで前身頃と後身頃とが形成され、かつ、前記バックシートの前身頃腹部位置外面には左右一対の止着位置表示用ラインを有するフロントシートと、前記バックシートの後身頃背中側両側部に一端が止着され夫々左右方向に延設されたおむつ装着用のファスニングテープとを備え、前記ファスニングテープの他端を前記左右一対の止着位置表示用ラインを有するフロントシートのライン上に止着して使用するように構成された使い捨て紙おむつであって、前記バックシート、前記フロントシート、及び、前記ファスニングテープの三者の全ての外面に互いに相関するデザインが施されているので、本発明によれば、とくに正面から目立つファスニングテープによってバックシートの外面に施されたデザインが阻害されることがなく、紙おむつ全体を正面から見た目にも違和感がない使い捨て紙おむつを提供することができる。また、前記フロントシートは前記ファスニングテープ他端の止着位置を表示するラインを有し、このラインに沿って前記デザインが施されているので、母親等の装着者はこのラインに沿って施されたデザインを目印にファスニングテープの他端を止着することができ、これによりおむつ代えに際しての止着作業を、装着者自身の経験や勘に依存して行っていた従来の場合に較べ、容易かつ確実に行うことができる。
【００２１】
とくに、前記フロントシートに施されるデザインが前記ファスニングテープ止着位置表示用ラインに沿って上下方向に複数個施されており、該複数個のデザインのいずれか一つに前記ファスニングテープに施されたデザインが合わせられて前記ファスニングテープが前記フロントシートに止着されることを要旨すとする請求項２に係る発明によれば、従来装着者が経験や勘に依存して行っていた止着作業、とくにファスニングテープの他端をフロントシートの上下方向の適当な位置に止着することにより行っていた作業を、より一層容易かつ確実に行うことができる。
【００２２】
また、前記相関するデザインを同一の基調とした請求項３に係る発明によれば、上記効果に加え、全体的にバランスがとれて違和感が全くなく、見栄えのよい使い捨て紙おむつを提供することがで.きる。
【００２３】
さらにまた、前記相関するデザインを関連する絵柄とした請求項４に係る発明、及び、前記相関するデザインを順列のある連続した文字とした請求項５に係る発明によれば、上記効果に加え、パズルあるいはクイズ的な要素を多分に含んでいることから、着用者である幼児に興味を持たせ、例えば絵合わせや文字合わせをする等により楽しみながら装着者（母親）が知育を兼ねたおむつ交換をすることができる。
【発明を実施するための最良の形態】
【００２４】
以下、上記各請求項に係る本発明の詳細を、好適な実施例を示す添付図面に基づき説明する。
【００２５】
図１は、本発明の第１の実施形態に係るテープ式の使い捨て紙おむつ（以下「紙おむつ１Ａ」という）の要部を示す正面図で、フロントシート６Ａにファスニングテープ７Ａが止着された状態を、説明の都合上、左右対称の左半分について示したものである。なお、図１から図８に示す本発明の実施形態に係る図においては、前述した従来の使い捨て紙おむつ１又は２１と対応する構成要素には同一の符号（アラビア数字）が頭に付されている。
【００２６】
図示するように、本紙おむつ１Ａのフロントシート６Ａの外面の、中央部側から夫々左右方向に略等間隔に配置された数字部９ａ間において上下方向に立ち上がる泡模様として形成されたファスニングテープ７Ａ係止用ライン（図１１における破線部９ｂに相当）に沿った位置（すなわちライン上）に、「いるか」（絵柄）１０Ａ１が青緑色に着色された「海中」（下地模様）１０Ａ２で泳いでいる様子を示すデザインが印刷等により施されている。これに対し、ファスニングテープ７Ａの外面（図示しないフックシートの付設面と反対側の面）にも、前記フロントシート６Ａの外面に施された下地模様と同一ないし近似した基調のデザイン、すなわち青緑色を中心とした下地模様７Ａ２がデザインされている。
【００２７】
このように、本紙おむつ１Ａは、フロントシート６Ａの外面とファスニングテープ７Ａの外面とが「海中」を表す青緑色という互いに関連性のある基調をもって作られているので、本紙おむつ１Ａによれば、従来のような違和感が全くなく、フロントシート６Ａに施されたデザインの本来の目的を十分達成することができる。
【００２８】
図２は、本発明の第２の実施形態に係るテープ式の使い捨て紙おむつ（以下「紙おむつ１Ｂ」という）の要部を示す正面図で、前記実施形態と同様に、フロントシート６Ｂにファスニングテープ７Ｂが止着された状態を、正面から見て左半分を示したものである。
【００２９】
図示するように、本紙おむつ１Ｂは、フロントシート６Ｂの外面の、中央部側から夫々左右方向に略等間隔に配置された数字部９ａにおいて上下方向に破線で形成されたファスニングテープ７Ａ係止用ライン（図１１における破線部９ｂに相当）に沿った位置（すなわちライン間）に、フロントシート６Ｂの外面に「ライオン」（絵柄）１０Ｂ１が緑色の「ジャングル」（下地模様）１０Ｂ２で座っている様子がデザインされ、一方のファスニングテープ７Ｂの外面には、「トラ」（絵柄）７Ｂ１が緑色の「ジャングル」（下地模様）７Ｂ２内を歩いている様子がデザインされているものである。
【００３０】
このように、本紙おむつ１Ｂは、フロントシート６Ｂの外面の絵柄とファスニングテープ７Ｂの外面の絵柄とが同じ「ジャングル」に住む動物という互いに関連性のあるデザインをもって作られているので、本紙おむつ１Ｂによれば、前記同様に違和感が全くなく、また絵柄同士の組合わせを母と子とで楽しみながらおむつ交換ができ、さらにまた知育をすることができる。なお、フロントシート６Ｂの外面には「ライオン」のほか、例えば「象」や「キリン」等の関連性のある複数の動物の絵柄を配置するようにするとより効果的である。
【００３１】
図３は、本発明の第３の実施形態に係るテープ式の使い捨て紙おむつ（以下「紙おむつ１Ｃ」という）の要部を示す正面図で、前記実施形態と同様に、フロントシート６Ｃにファスニングテープ７Ｃが止着された状態を、正面から見て左半分を示したものである。
【００３２】
図示するように、本紙おむつ１Ｃでは、フロントシート６Ｃの外面に付された数字部９ａの上部方向に沿ったライン、すなわちファスニングテープ７Ｃの止着位置表示用ラインの上に２本のレールと複数個の枕木とから成る電車の「線路」（係止目印模様としての絵柄）９Ｃ１がデザインされており、一方のファスニングテープ７Ｃの外面には前記線路９Ｃ１の上を走る「電車」（絵柄）７Ｃ１がデザインされている。
【００３３】
このように、本紙おむつ１Ｃは、フロントシート６Ｃの外面の絵柄「線路」がファスニングテープ７Ｃの止着位置表示用のラインに沿って施され、ファスニングテープ７Ｃの外面の絵柄「電車」を前記絵柄「線路」に合わせて止着するように作られているので、本紙おむつ１Ｃによれば、前記同様に楽しみながら知育をすることができることに加え、装着者は従来のように勘や経験に依存せず、フロントシート６Ｃに付された所定の止着位置表示用ライン（この例では数字部９ａが「３」のライン）を目標として止着することができる。これにより、従来のようにファスニングテープ７Ｃの止着端部がフロントシート６Ｃからずれたり、あるいは外れたりすることがなく、本紙おむつ１Ｃを幼児の腰部にしっかり固定させることができる。また、このとき、絵柄の「線路」が２本のレールと複数個の枕木とで形成されているので、装着者はこれら複数個の枕木のうちのいずれか１つにファスニングテープ７Ｃの外面の絵柄「電車」を合わせればよく、上下方向における止着位置に自由度が得られるため装着者の止着作業が容易となる利点がある。
【００３４】
図４は、本発明の第４の実施形態に係るテープ式の使い捨て紙おむつ（以下「紙おむつ１Ｄ」という）の要部を示す正面図で、前記実施形態と同様に、フロントシート６Ｄにファスニングテープ７Ｄが止着された状態を、正面から見て左半分を示したものである。
【００３５】
図示するように、本紙おむつ１Ｄは、前記紙おむつ１Ｃと同様にファスニングテープ７Ｄの止着位置表示用ライン上にデザインが施されているが、このデザインが絵柄ではなく文字である点で相違している。本紙おむつ１Ｄでは、フロントシート６Ｄの外面に付された数字部９ａの下部方向に沿った止着位置表示用ライン上に複数個のアルファベット文字、すなわち「Ａ」、「Ｂ」、「Ｃ」（文字）９Ｄ１がデザインされており、一方のファスニングテープ７Ｄの外面には前記アルファベットの中間の文字である「Ｂ」（文字）７Ｄ１がデザインされている。なお、デザイン化する文字としてはアルファベットに限らず、例えば「あ」、「い」、「う」等の５０音文字、あるいは「１」、「２」、「３」等の算用数字などの、順列のある連続した文字であれば適用が可能である。また、フロントシート６Ｄの外面にデザインする文字のうち中間に位置する文字（この例では「Ｂ」の文字）部分をブランクにしておき、ファスニングテープ７Ｄの外面にデザインした文字（この例では「Ｂ」の文字）を前記ブランク部分に当て嵌めるようにしてもよい。さらにまた、ファスニングテープ７Ｄの外面に施されたデザイン（すなわち文字７Ｄ１）をフロントシート６Ｄの外面に施された複数個のデザイン（すなわちアルファベット文字９Ｄ１）のいずれか１つに合わせて止着するようにしてもよい。
【００３６】
本紙おむつ１Ｄはこのように作られているので、前記第３の実施形態の場合と同様な効果が得られるほか、パズルあるいはクイズ的な要素を多分に含んでいるので幼児の知育にはとくに好適である。
【００３７】
以上の実施形態は、いずれも、互いに相関するデザインをフロントシートとファスニングテープの二者に施して成る使い捨て紙おむつである場合であるが、本発明はこのデザインをフロントシートとファスニングテープに加え、さらにバックシートの三者に施すことにより一層効果的な使い捨て紙おむつを実現することができる。
【００３８】
図５は、その一例の、本発明の第５の実施形態に係るテープ式の使い捨て紙おむつ（以下「紙おむつ１Ｅ」という）の斜視図で、使用状態に組み立てた紙おむつ１Ｅを前身頃側から見たものである。図示するように、本紙おむつ１Ｅは、フロントシート６Ｅの外面のファスニングテープ７Ｅ止着位置表示用ラインに沿った位置に海中で泳ぐ「遊魚」（絵柄）１０Ｅ１がデザインされ、また、ファスニングテープ７Ｅの外面にも同様な「遊魚」（絵柄）１０Ｅ１がデザインされている。さらに前身頃及び後身頃を形成するバックシート３Ｅの外面には、前記「遊魚」（絵柄）１０Ｅ１と共に、海底に生える「海草」（絵柄）１０Ｅ２がデザインされている。
【００３９】
このように、本紙おむつ１Ｅは、フロントシート６Ｅ、ファスニングテープ７Ｅ、バックシート３Ｅの三者の外面に共通の「遊魚」（絵柄）１０Ｅ１が印刷され、おむつ全体に相関するデザインが施されているので、全体的にバランスがとれ、また、見た目に楽しい使い捨ての紙おむつを形成することができる。
【００４０】
なお、本発明は、以上のフロントシートとファスニングテープを有するテープ式の使い捨て紙おむつの場合に限らず、後処理用の廃棄用テープを有する次ぎのような使い捨て紙おむつである場合にも適用することができる。
【００４１】
図６は、本発明の第６の実施形態に係るパンツ式の使い捨て紙おむつ（以下「紙おむつ２１Ａ」という）を後見頃側から見た斜視図である。図示するように、本紙おむつ２１Ａでは、裏面側を覆う不透液性バックシート２２Ａによって形成された前見頃２３Ａ及び後見頃２４Ａの外面に、金色に着色され、点在して配置された「星」（絵柄）２５Ａ１と、これらの「星」（絵柄）２５Ａ１間に配置された白抜きの「星」（絵柄）２５Ａ２とから成るデザインが施されいる。そして、この後見頃２４Ａの略中央部に一端が止着され、全体が長さ方向に折り畳まれて接着され、他端より引き出し可能に装着された廃棄用テープ２６Ａの最外面には、前記金色に着色され、点在して配置された「星」（絵柄）２５Ａ１及び白抜きの「星」（絵柄）２５Ａ２と夫々同一の「星」（絵柄）２６Ａ１及び「星」（絵柄）２６Ａ２とから成るデザインが施されている。
【００４２】
本紙おむつ２１Ａは、このようにバックシート２２Ａの外面のデザインと廃棄用テープ２６Ａの最外面のデザインとがピッタリ一致して作られているので、本紙おむつ２１Ａによれば何ら違和感がなく、よって着用した幼児が無意識のうちに廃棄用テープ２６Ａの先端を引っ張ってしまうこともなく、また廃棄用テープ２６Ａによってバックシート２２Ａ外面のデザインが損なわれることがない。
【００４３】
なお、この廃棄用テープ２６Ａに施されるデザインは最外面に限らず、折り畳まれている外面にも最外面に施されたデザインと相関するデザインを施すようにしてもよい。
【００４４】
図７（ａ）は、その一例の、本発明の第７の実施形態に係るパンツ式の使い捨て紙おむつ（以下「紙おむつ２１Ｂ」という）を後見頃側から見た斜視図である。図示するように、本紙おむつ２１Ｂでは、裏面側を覆う不透液性バックシート２２Ｂによって形成された前見頃２３Ｂ及び後見頃２４Ｂの外面に「象」（絵柄）２５Ｂ１がデザインされている。この「象」（絵柄）２５Ｂ１の鼻位置部分には廃棄用テープ２６Ｂがその一端を止着され、全体が長さ方向に三つに折り畳まれて接着され、他端より引き出し可能に装着されている。図７（ｂ）に示すように、廃棄用テープ２６Ｂの最外面、すなわち三つ折りの第１面には「象の鼻」（模様）２６Ｂ１が、第２面には象の鳴き声の「パオーン」（文字）２６Ｂ２が、そして第３面には「象の口」（絵柄）２６Ｂ３がデザインされている。
【００４５】
本紙おむつ２１Ｂは、このようにバックシート２２Ｂの後身頃２４Ｂにデザインされた「象」（絵柄）２５Ｂ１に関連し、廃棄用テープ２６Ｂの外面にその「象の鼻」（模様）２６Ｂ、象の鳴き声の「パオーン」（文字）２６Ｂ２、「象の口」（絵柄）２６Ｂ３が一連の流れをもってデザインされている。従って、本紙おむつ２１Ｂによれば、本おむつの廃棄に際し前記廃棄用テープ２６Ｂを最外面、すなわち象の鼻部分を引き出すと、この模様、文字、絵柄から成る一連のデザインが現れるので、知育を兼ねた楽しいおむつ代えができる。
【００４６】
また、後身頃に設ける廃棄用テープのデザインを前身頃のデザインと関連させて設けることも一策である。図８はその一例の、本発明の第８の実施形態に係るパンツ式の使い捨て紙おむつ（以下「紙おむつ２１Ｃ」という）を示すもので、（ａ）は前見頃側から見た斜視図、（ｂ）は後身頃側から見た斜視図である。本紙おむつ２１Ｃでは、（ａ）に示すように、前身頃２３Ｃの略中央部には「前向きの馬」（絵柄）２６Ｃ１が、また（ｂ）に示すように、後身頃２４Ｃの略中央部には「後向きの馬」（絵柄）２６Ｃ２が夫々デザインされ、この「後向きの馬」（絵柄）２６Ｃ２の尾の位置には廃棄用テープ２６Ｃが止着されている。すなわち、本紙おむつ２１Ｃにおける廃棄用テープ２６Ｃは「馬の尾」として採用されているもので、極めて道理にかなったデザインが施され、幼児に興味を誘う紙おむつということができる。
【図面の簡単な説明】
【００４７】
【図１】本発明の第１実施形態に係るテープ式使い捨て紙おむつの要部左半分の正面図である。
【図２】本発明の第２実施形態に係るテープ式使い捨て紙おむつの要部左半分の正面図である。
【図３】本発明の第３実施形態に係るテープ式使い捨て紙おむつの要部左半分の正面図である。
【図４】本発明の第４実施形態に係るテープ式使い捨て紙おむつの要部左半分の正面図である。
【図５】本発明の第５実施形態に係るテープ式使い捨て紙おむつを前身頃側から見た斜視図である。
【図６】本発明の第６実施形態に係るパンツ式使い捨て紙おむつを後身頃側から見た斜視図である。
【図７】本発明の第７実施形態に係るパンツ式使い捨て紙おむつの斜視図で、（ａ）は後身頃側から見た図、（ｂ）は廃棄用テープの展開図である。
【図８】本発明の第８実施形態に係るパンツ式使い捨て紙おむつの斜視図で、（ａ）は前身頃側から見た図、（ｂ）は後身頃側から見た図である。
【図９】従来のテープ式使い捨て紙おむつの概要を示す斜視図である。
【図１０】従来のテープ式使い捨て紙おむつを展開した状態で示す平面図である。
【図１１】従来のテープ式使い捨て紙おむつの前身頃に付設されたフロントシートの正面図である。
【図１２】従来のテープ式使い捨て紙おむつの前身頃に付設されたフロントシートにファスニングテープが止着された状態を示す正面図である。
【図１３】従来のパンツ式使い捨て紙おむつを後身頃から見た斜視図である。
【符号の説明】
【００４８】
１        （従来の）テープ式使い捨て紙おむつ
１Ａ      （本発明に係る）テープ式使い捨て紙おむつ
１Ｂ      （本発明に係る）テープ式使い捨て紙おむつ
１Ｃ      （本発明に係る）テープ式使い捨て紙おむつ
１Ｄ      （本発明に係る）テープ式使い捨て紙おむつ
１Ｅ      （本発明に係る）テープ式使い捨て紙おむつ
２          トップシート
３          バックシート
４          吸収体
５          弾性伸縮部材
６          フロントシート
６Ａ      （本発明に係る）フロントシート
６Ｂ      （本発明に係る）フロントシート
６Ｃ      （本発明に係る）フロントシート
６Ｄ      （本発明に係る）フロントシート
６Ｅ      （本発明に係る）フロントシート
７          ファスニングテープ
７Ａ      （本発明に係る）ファスニングテープ
７Ｂ      （本発明に係る）ファスニングテープ    
７Ｃ      （本発明に係る）ファスニングテープ
７Ｄ      （本発明に係る）ファスニングテープ
７Ｅ      （本発明に係る）ファスニングテープ
８          フックシート
９          係止目印模様
９ａ        数字部
９ｂ        破線部
１０        絵柄
２１      （従来の）パンツ式使い捨て紙おむつ
２１Ａ    （本発明に係る）パンツ式使い捨て紙おむつ
２１Ｂ    （本発明に係る）パンツ式使い捨て紙おむつ
２１Ｃ    （本発明に係る）パンツ式使い捨て紙おむつ
２２          バックシート
２３          前身頃
２４          後身頃
２５          デザイン
２６          廃棄用テープ
２６Ａ      （本発明に係る）廃棄用テープ
２６Ｂ      （本発明に係る）廃棄用テープ
【図１】
2004305761.tif 000003
【図２】
2004305761.tif 000004
【図３】
2004305761.tif 000005
【図４】
2004305761.tif 000006
【図５】
2004305761.tif 000007
【図６】
2004305761.tif 000008
【図７】
2004305761.tif 000009
【図８】
2004305761.tif 000010
【図９】
2004305761.tif 000011
【図１０】
2004305761.tif 000012
【図１１】
2004305761.tif 000013
【図１２】
2004305761.tif 000014
【図１３】
2004305761.tif 000015